(57)【要約】【課題】安定的に組み合わせることにより高い発熱効果を得る加熱片構造を提供する。【解決手段】衣類に縫い付ける加熱片構造は、遮蔽層１、発熱ユニット２及び複数の分離線を備える。遮蔽層１は、内層体１１及び外層体１２を含む。内層体１１と外層体１２との間に挟層１３が形成される。挟層１３の一面には、融点が高い防水膜１４が形成される。内層体１１は、外層体１２より薄い。発熱ユニット２は、遮蔽層１の挟層１３内に配置され、高抵抗線２１と、高抵抗線２１に接続された導線２２とを含む。導線２２の高抵抗線２１と接続された一端を少なくとも二股に分けて高抵抗線２１上へ巻き付け、導線２２の他端を遮蔽層１の外側へ延伸させてコントローラ及び給電ユニットと電気的に接続する。分離線は、遮蔽層１上で各高抵抗線２１間にそれぞれ縫い付けられる。【選択図】図２
0003177222.tif 000002
【実用新案登録請求の範囲】
【請求項１】
遮蔽層、発熱ユニット及び複数の分離線を備えた衣類に縫い付ける加熱片構造であって、
前記遮蔽層は、内層体及び外層体を含み、前記内層体と前記外層体との間に挟層が形成され、前記挟層の一面には、融点が高い防水膜が形成され、前記内層体は、前記外層体より薄く、
前記発熱ユニットは、前記遮蔽層の前記挟層内に配置され、高抵抗線と、前記高抵抗線に接続された導線と、を含み、前記導線の前記高抵抗線と接続された一端を少なくとも二股に分けて前記高抵抗線上へ巻き付け、前記導線の他端を前記遮蔽層の外側へ延伸させてコントローラ及び給電ユニットと電気的に接続し、
前記分離線は、前記遮蔽層上で各前記高抵抗線間にそれぞれ縫い付けられることを特徴とする衣類に縫い付ける加熱片構造。
【請求項２】
前記防水膜は、ポリウレタンからなることを特徴とする請求項１に記載の衣類に縫い付ける加熱片構造。
【請求項３】
前記発熱ユニットの前記導線と前記高抵抗線とが接触された接点には、熱収縮性を有するスリーブが外嵌され、前記導線と前記高抵抗線との接点が、前記熱収縮性を有するスリーブにより覆われることを特徴とする請求項１に記載の衣類に縫い付ける加熱片構造。
【考案の詳細な説明】
【技術分野】
【０００１】
本考案は、衣類に縫い付ける加熱片構造に関し、特に、安定的に取り付けることにより高い発熱効果を得る加熱片構造に関する。
【背景技術】
【０００２】
一般に身体を保温するために衣類を着用するが、特に、気温が低いときには、大きくて厚くて重い衣服を着用して身体を温めるのが一般的であるが、ユーザが不快に感じる上、衣服を収納する際に様々な問題が生じることがある。メーカの一部は携帯用使い捨てカイロ、カイロ、保温袋などの物品により熱源を提供するが、これらの保温物は身体の局部を温める機能しかないため温度を調整することができず、保温時間も短く、人々に必要な保温効果を提供することができない。
【０００３】
特許文献１に示すように、特許文献１の電熱部材（ｅｌｅｃｔｒｏｔｈｅｒｍａｌ ａｒｔｉｃｌｅ）は、主に２つの布体間に複数の発熱可能な線材が配置され、この線材の適宜な箇所に熱溶融型糊により布体に線材を固定させるが、この方式は、製作時間及び労力が余計にかかり、人的コスト及び製造時間が増える虞がある。ホットメルト接着方式を利用し、融点が低い熱溶着型糊は、発熱線材が発熱したときに熔解し易いため、粘着の安定性が好ましくない上、その発熱線材が熱溶融型糊を利用して固定する以外に、離間させる必要がない。そのため、発熱線材が熱溶融型糊により熔解されたり洗浄されたりして発熱線材が布体から外れると、発熱線材を布体中へ均等に配列させることができずに、その熱供給効果が大幅に減損されることがある。
【０００４】
特許文献２に示すように、特許文献２の加熱パッド（ｈｅａｔｉｎｇ  ｐａｄ  ｈａｖｉｎｇ  ａ  ｐｈａｓｅ  ｃｈａｓｅ  ｃｈａｎｇｅ  ｍａｔｅｒｉａｌ）はエンベロップと、エンベロップ内に配置された加熱金属片と、を含む。エンベロップと加熱金属片との間は、融点が低い熱溶融型糊により接着されているため、熱溶融型糊が熱により熔解されると固定性が理想的でなくなる。熱溶融型糊が熔解した後、エンベロップの開口が開いた状態となり、洗浄するときに進水して加熱金属片が損壊する虞がある。
【０００５】
特許文献３に示すように、特許文献３の電熱線構造（ｅｌｅｃｔｒｉｃａｌ  ｈｅａｔｉｎｇ  ｗｉｒｅ  ａｓｓｅｍｂｌｙ）は、導熱線の一端に針状端子が取り付けられ、針状端子と複数本の発熱線が挿入されて取り付けられてから、針状端子及び複数本の発熱線の外側が金属カバーにより覆われて固定される。針状端子が内部の何本かの発熱線と接触されるため、その外部の大部分の発熱線は、針状端子と接触することがない。このように、当該箇所の抵抗が大きすぎて、導熱線に通電されて発熱すると、電流により当該箇所に高温の「ホットスポット」が発生し、発熱線全体へ電流を通すことができず、発熱線全体の温度が発熱線と導電線の針状端子との接触箇所の温度より低くなり、熱供給効果が低減される。
【０００６】
上述したことから分かるように、本考案者は、従来技術の衣類の電熱装置の製造及び使用上の様々な問題点を解決し、関連分野の製造及び設計経験及び知識の助けにより、様々な知恵を絞って本考案を案出した。
【先行技術文献】
【特許文献】
【０００７】
【特許文献１】米国特許第７１０５７８２号明細書
【特許文献２】米国特許第７１３５０３６号明細書
【特許文献３】米国特許第６５７３４８４号明細書
【考案の概要】
【考案が解決しようとする課題】
【０００８】
本考案の目的は、安定的に取り付けることにより高い発熱効果を得る加熱片構造を提供することにある。
【課題を解決するための手段】
【０００９】
上記課題を解決するために、本考案の第１の形態によれば、遮蔽層、発熱ユニット及び複数の分離線を備えた衣類に縫い付ける加熱片構造であって、前記遮蔽層は、内層体及び外層体を含み、前記内層体と前記外層体との間に挟層が形成され、前記挟層の一面には、融点が高い防水膜が形成され、前記内層体は、前記外層体より薄く、前記発熱ユニットは、前記遮蔽層の前記挟層内に配置され、高抵抗線と、前記高抵抗線に接続された導線と、を含み、前記導線の前記高抵抗線と接続された一端を少なくとも二股に分けて前記高抵抗線上へ巻き付け、前記導線の他端を前記遮蔽層の外側へ延伸させてコントローラ及び給電ユニットと電気的に接続し、前記分離線は、前記遮蔽層上で各前記高抵抗線間にそれぞれ縫い付けられることを特徴とする衣類に縫い付ける加熱片構造が提供される。
【００１０】
前記防水膜は、ポリウレタンからなることが好ましい。
【００１１】
前記発熱ユニットの前記導線と前記高抵抗線とが接触された接点には、熱収縮性を有するスリーブが外嵌され、前記導線と前記高抵抗線との接点が、前記熱収縮性を有するスリーブにより覆われることが好ましい。
【考案の効果】
【００１２】
高温・高圧により融点が高い熱溶着を行うことにより、発熱ユニットと遮蔽層の防水膜とを結合させて防水効果を得て、発熱ユニットの導電線と高抵抗線との間に複数の接続点を設けることにより、高抵抗線と導電線との間の抵抗を下げ、発熱ユニットの発熱効果を有効に高める。
【図面の簡単な説明】
【００１３】
【図１】本考案の一実施形態に係る衣類に縫い付ける加熱片構造を示す模式図である。
【図２】本考案の一実施形態に係る衣類に縫い付ける加熱片構造を示す分解斜視図である。
【図３】本考案の一実施形態に係る衣類に縫い付ける加熱片構造の発熱ユニットを示す部分拡大図である。
【図４】本考案の一実施形態に係る衣類に縫い付ける加熱片構造を示す斜視図である。
【図５】本考案の一実施形態に係る衣類に縫い付ける加熱片構造を示す断面図である。
【考案を実施するための形態】
【００１４】
まず、図１及び図２を参照する。図１及び図２に示すように、本考案の一実施形態に係る衣類に縫い付ける加熱片構造は、少なくとも遮蔽層１及び発熱ユニット２から構成される。
【００１５】
遮蔽層１は、内層体１１及び外層体１２を含む。内層体１１と外層体１２との間には、挟層１３が形成される。この挟層１３の一面には、融点が高い防水膜１４が形成され、この防水膜１４は、ポリウレタン（ｐｏｌｙｕｒｅｔｈａｎｅ）からなる。内層体１１は、外層体１２より薄い。
【００１６】
図３を併せて参照する。図３に示すように、発熱ユニット２は、遮蔽層１の挟層１３内に配置され、高抵抗線２１と、高抵抗線２１に接続された導線２２と、を含む。高抵抗線２１は、金属繊維糸又は炭素繊維糸からなってもよく、導線２２と高抵抗線２１とを接続させる一端の電線２２１を二股又は三股以上に分けて高抵抗線２１上へ順次巻き付けることにより、導線２２の電線２２１と高抵抗線２１とが接触される面積を増大させる。導線２２と高抵抗線２１とが接触される接点には、弾性軟質の熱収縮性を有するスリーブ２３が外嵌され、熱収縮性を有するスリーブ２３により導線２２と高抵抗線２１との接点を覆い、導線２２の他端を遮蔽層１の外側へ延伸させてコントローラ及び給電ユニットと電気的に接続させる。
【００１７】
図２及び図４を参照する。図２及び図４に示すように、実際に組み立てる際、まず、遮蔽層１の内層体１１の防水膜１４上に、導線２２に接続された高抵抗線２１を揃えて配置してから、防水膜１４を有する外層体１２の面により高抵抗線２１上を覆うとともに、外層体１２に貼り合わせ、内層体１１と外層体１２との間に形成された挟層１３内に高抵抗線２１を配置させてから、遮蔽層１の内層体１１及び外層体１２の外側に高温・高圧を施し、内層体１１と外層体１２との間に設けた融点が高い防水膜１４を熱により融解させ（図５参照）、遮蔽層１の内層体１１及び外層体１２に結合されるため、内層体１１と外層体１２との間に形成された挟層１３内の高抵抗線２１が、熔解後の防水膜１４と良好に結合され、防水膜１４が冷却された後に遮蔽層１の挟層１３中に安定的に固定される。これにより防水膜１４は、水により洗浄される衣類を保護し、挟層１３内に設けた高抵抗線２１と導線２２との接点箇所に水が滲入することを防ぎ、導線２２と高抵抗線２１との接点の外側に外嵌された熱収縮性を有するスリーブ２３を利用し、導線２２と高抵抗線２１との接点を保護し、衣類を洗浄して揉み洗う過程において、導線２２と高抵抗線２１との接点が力を受けて損壊することを防ぐ。続いて、各高抵抗線２１間に遮蔽層１を位置させて分離線１５を縫い付けて各高抵抗線２１を離間させ、高抵抗線２１と高抵抗線２１とが当たって熱供給効果が減損することを防ぎ、内層体１１と外層体１２との周縁を縫い合わせて遮蔽層１と発熱ユニット２とを組み立てる。
【００１８】
組み立てが完成した遮蔽層１及び発熱ユニット２を衣服、手袋、帽子、靴などの衣類に縫い付ける。ユーザは、防寒の必要があるとき、本実施形態の保温機能を有する衣類を着用した後に、コントローラにより給電ユニットをオンし、導線２２に接続された高抵抗線２１を加熱し、高抵抗線２１が導熱により発熱すると、高抵抗線２１から熱エネルギが放出され、遮蔽層１を介してユーザの身体へ熱エネルギが伝わる。本実施形態は、遮蔽層１の内層体１１が外層体１２より薄いため、高抵抗線２１から放出された熱エネルギが内層体１１から外側へ排出され、大部分の熱エネルギがユーザの身体を温めるために用いられる。外側に設けた発熱ユニット２は、厚さが大きいため断熱・保温効果を得て、消費エネルギを減らすことができる。
【００１９】
導線２２と高抵抗線２１とが接続された一端を複数股の電線２２１に分けて高抵抗線２１上に巻き付けることにより、高抵抗線２１との接触面積を大幅に増やし、高抵抗線２１と導線２２とが接続された箇所に発生する電流抵抗をなるべく減らしてホットスポット（ｈｏｔ  ｓｐｏｔ）が生じることを防ぎ、高抵抗線２１まで電流を通して高抵抗線２１から供給される熱エネルギの効率を高める。
【００２０】
上述したことから分かるように、本考案の衣類に縫い付ける加熱片構造は、以下（１）〜（６）の長所を有する。
（１）遮蔽層の内層体と外層体との間には、融点が高い防水膜が形成され、防水膜の一面と組み合わされて発熱ユニットの高抵抗線を配置させる挟層が形成され、この構成により、実際に組み合わせる際、挟層内に高抵抗線を配列させ、内層体及び外層体に対して高温・高圧を加え、内層体及び外層体の防水膜を熔解させて結合し、これにより遮蔽層と発熱ユニットとを組み合わせる。
（２）遮蔽層の内層体と外層体との間に設けられた挟層は、防水片を有する。この防水片は、非常に高い融点を有するため、高抵抗線が発熱しても熱により熔解することがない。そのため、遮蔽層に高抵抗線が安定的に組み合わされているため、高抵抗線に水が滲入することを防ぐ。
（３）発熱ユニットの導線と高抵抗線とが接続された一端が複数股に分けられ、高抵抗線が巻き付けられているため、高抵抗線と導線の電線との接触面積が大幅に増大し、接続箇所に発生する抵抗を有効に減らし、高抵抗線へ電流をスムーズに流して発熱ユニットの熱供給効果を高める。
（４）遮蔽層の内層体が外層体より薄いため、内層体と外層体との間に形成された挟層内に設けられた発熱ユニットが作動して発熱すると、発熱ユニットから生じた熱エネルギが薄い内層体から迅速に伝達され、熱エネルギの大部分をユーザに提供することができる。
（５）遮蔽層の各高抵抗線間に分離線を縫い付けて各高抵抗線の分離を確実に行うことにより、使用したり洗浄したりする過程で高抵抗線が互いに当たることを防ぎ、使用の安全性を確保する。
（６）高抵抗線と導線との接点に、熱収縮性を有するスリーブを外嵌させることにより、導線と高抵抗線との接点を保護し、衣類の揉み洗いを行う際、導線と高抵抗線との接点が力を受けて損壊することを防ぐ。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１    遮蔽層
２    発熱ユニット
１１  内層体
１２  外層体
１３  挟層
１４  防水膜
１５  分離線
２１  高抵抗線
２２  導線
２３  熱収縮性を有するスリーブ
２２１  電線
【図１】
0003177222.tif 000003
【図２】
0003177222.tif 000004
【図３】
0003177222.tif 000005
【図４】
0003177222.tif 000006
【図５】
0003177222.tif 000007